(57)【要約】      （修正有）【課題】かご位置表示装置やかごの運転時間から利用者の居住階を容易に推測できないようにするエレベータセキュリティシステムを提供すること。【解決手段】エレベータセキュリティシステム１において、判定部３７は、特定利用者識別部３５によって利用者が特定利用者であると識別された場合に、その利用者がかご２に乗車しているか否かを判定し、その利用者がかご２に乗車していると判定した場合に、表示切替命令部３２に対してかご位置表示モードからかご位置非表示モードに切り替える命令を出力するように指示するとともに、遅くとも帰着運転の終了時までに、速度切替命令部３４に対して第１の運転速度モードから第２の運転速度モードに切り替える命令を出力するように指示する。【選択図】図１
2018090411.tif 000002
【特許請求の範囲】
【請求項１】
エレベータの基準階のホールに設置されたかご位置表示装置の表示内容とかごの運転速度を制御するエレベータセキュリティシステムであって、
前記かご位置表示装置に前記かごの位置を表示させるかご位置表示モードと、前記かご位置表示装置に前記かごの位置を表示させないかご位置非表示モードと、を有する表示制御部と、
前記表示制御部に対して、前記かご位置表示モードと前記かご位置非表示モードを切り替える命令を出力する表示切替命令部と、
通常の運転速度で前記かごを移動させる第１の運転速度モードと、前記第１の運転速度モードと異なる運転速度で前記かごを移動させる第２の運転速度モードと、を有し、前記かごを前記基準階に自動的に帰着させる帰着運転を含む前記かごの運転の制御を行うかご制御部と、
前記かご制御部に対して、前記第１の運転速度モードと前記第２の運転速度モードを切り替える命令を出力する速度切替命令部と、
前記かごを利用しようとしている利用者が予め登録された特定利用者であるか否かを識別する特定利用者識別部と、
前記特定利用者識別部によって前記利用者が前記特定利用者であると識別された場合に、前記利用者が前記かごに乗車しているか否かを判定し、前記利用者が前記かごに乗車していると判定した場合に、前記表示切替命令部に対して前記かご位置表示モードから前記かご位置非表示モードに切り替える命令を出力するように指示するとともに、遅くとも前記帰着運転の終了時までに、前記速度切替命令部に対して前記第１の運転速度モードから前記第２の運転速度モードに切り替える命令を出力するように指示する判定部と、
を備えるエレベータセキュリティシステム。
【請求項２】
前記ホールに前記特定利用者ではない第三者がいるか否かを識別する第三者識別部を、さらに備え、
前記判定部は、前記利用者が前記かごに乗車していると判定し、かつ、前記第三者識別部によって前記第三者がいると識別された場合に、前記表示切替命令部に対して前記かご位置表示モードから前記かご位置非表示モードに切り替える命令を出力するように指示するとともに、遅くとも前記帰着運転の終了時までに、前記速度切替命令部に対して前記第１の運転速度モードから前記第２の運転速度モードに切り替える命令を出力するように指示する、請求項１に記載のエレベータセキュリティシステム。
【請求項３】
前記かご内で登録された行き先階の情報に基づいて、行き先階の数を算出する行き先階数算出部を、さらに備え、
前記判定部は、さらに、前記行き先階数算出部によって算出された行き先階の数が第１の所定数未満であると判定した場合に、前記表示切替命令部に対して前記かご位置表示モードから前記かご位置非表示モードに切り替える命令を出力するように指示するとともに、遅くとも前記帰着運転の終了時までに、前記速度切替命令部に対して前記第１の運転速度モードから前記第２の運転速度モードに切り替える命令を出力するように指示する、請求項１または請求項２に記載のエレベータセキュリティシステム。
【請求項４】
前記かご内にいる前記利用者と同乗している同乗者の数を算出する同乗者数算出部を、さらに備え、
前記判定部は、さらに、前記同乗者数算出部によって算出された同乗者の数が第２の所定数未満であると判定した場合に、前記表示切替命令部に対して前記かご位置表示モードから前記かご位置非表示モードに切り替える命令を出力するように指示するとともに、遅くとも前記帰着運転の終了時までに、前記速度切替命令部に対して前記第１の運転速度モードから前記第２の運転速度モードに切り替える命令を出力するように指示する、請求項１から請求項３のいずれか一項に記載のエレベータセキュリティシステム。
【請求項５】
前記第２の運転速度モードは、前記速度切替命令部によって前記第１の運転速度モードから前記第２の運転速度モードに切り替える命令が出力されるたびに、前記かごの運転速度を異ならせるモードである、請求項１から請求項４のいずれか一項に記載のエレベータセキュリティシステム。
【発明の詳細な説明】
【技術分野】
【０００１】
本発明の実施形態は、エレベータセキュリティシステムに関する。
【背景技術】
【０００２】
従来から、エレベータを有するマンション等の集合住宅において、住人の望みに反して、第三者が特定の住人の居住階を知ろうとする場合がある。そのような第三者は、例えば、特定の住人が基準階（例えば１階）からエレベータに乗って居住階へ向かう際に、基準階のホール（エレベータホール）で、かご（乗りかご）の現在位置（階）を示すかご位置表示装置を見ていれば、その住人の居住階を容易に特定することができる。
【０００３】
また、マンションの高層階の住人は、帰宅時にエレベータを利用せざるを得ないという事情もある。従来技術では、例えば、エレベータの利用者（住人）の意志に応じて柔軟にかご位置表示装置を非表示に設定することができるエレベータの防犯システムが提案されている。
【先行技術文献】
【特許文献】
【０００４】
【特許文献１】特開２００６−２６４８１９号公報
【発明の概要】
【発明が解決しようとする課題】
【０００５】
また、マンション等では基準階への自動帰着運転機能がエレベータに搭載されている場合が多い。したがって、利用者が１人等の少人数でかごに乗った場合には、かご位置表示装置を非表示としても、第三者は、かごの基準階での発車から基準階への帰着まで時間（かごの運転時間）を計測すれば、利用者の居住階を容易に推測できることがあった。
【０００６】
そこで、本発明が解決しようとする課題は、かご位置表示装置やかごの運転時間から利用者の居住階を容易に推測できないようにするエレベータセキュリティシステムを提供することである。
【課題を解決するための手段】
【０００７】
実施形態のエレベータセキュリティシステムは、エレベータの基準階のホールに設置されたかご位置表示装置の表示内容とかごの運転速度を制御するエレベータセキュリティシステムであって、表示制御部と、表示切替命令部と、かご制御部と、速度切替命令部と、特定利用者識別部と、判定部と、を備える。表示制御部は、かご位置表示装置にかごの位置を表示させるかご位置表示モードと、かご位置表示装置にかごの位置を表示させないかご位置非表示モードと、を有する。表示切替命令部は、表示制御部に対して、かご位置表示モードとかご位置非表示モードを切り替える命令を出力する。かご制御部は、通常の運転速度でかごを移動させる第１の運転速度モードと、第１の運転速度モードと異なる運転速度でかごを移動させる第２の運転速度モードと、を有し、かごを基準階に自動的に帰着させる帰着運転を含むかごの運転の制御を行う。速度切替命令部は、かご制御部に対して、第１の運転速度モードと第２の運転速度モードを切り替える命令を出力する。特定利用者識別部は、かごを利用しようとしている利用者が予め登録された特定利用者であるか否かを識別する。判定部は、特定利用者識別部によって利用者が特定利用者であると識別された場合に、利用者がかごに乗車しているか否かを判定し、利用者がかごに乗車していると判定した場合に、表示切替命令部に対してかご位置表示モードからかご位置非表示モードに切り替える命令を出力するように指示するとともに、遅くとも帰着運転の終了時までに、速度切替命令部に対して第１の運転速度モードから第２の運転速度モードに切り替える命令を出力するように指示する。
【図面の簡単な説明】
【０００８】
【図１】図１は、第１の実施形態に係るエレベータセキュリティシステム等の構成図である。
【図２】図２は、第１の実施形態における特定利用者ＤＢのデータ構成図である。
【図３】図３は、第１の実施形態における制御盤のハードウェア構成図である。
【図４】図４は、第１の実施形態に係るエレベータセキュリティシステムが行う処理を示すフローチャートである。
【図５】図５は、第２の実施形態に係るエレベータセキュリティシステム等の構成図である。
【図６】図６は、第２の実施形態における特定利用者ＤＢのデータ構成図である。
【図７】図７は、第２の実施形態に係るエレベータセキュリティシステムが行う処理を示すフローチャートである。
【図８】図８は、第３の実施形態に係るエレベータセキュリティシステム等の構成図である。
【図９】図９は、第３の実施形態に係るエレベータセキュリティシステムが行う処理を示すフローチャートである。
【図１０】図１０は、第４の実施形態に係るエレベータセキュリティシステム等の構成図である。
【図１１】図１１は、第４の実施形態に係るエレベータセキュリティシステムが行う処理を示すフローチャートである。
【発明を実施するための形態】
【０００９】
以下、本発明の実施形態について、図面を参照して説明する。また、以下では第１の実施形態〜第４の実施形態、および、変形例について説明するが、第２の実施形態以降では、各図においてそれまでの実施形態と同一の構成には同一の符号を付し、重複する説明を適宜省略する。なお、これらの実施形態等により本発明が限定されるものではない。
【００１０】
＜第１の実施形態＞
まず、第１の実施形態について説明する。第１の実施形態に係るエレベータセキュリティシステム１等の構成について、図１、図２を参照して説明する。図１は、第１の実施形態に係るエレベータセキュリティシステム１等の構成図である。
【００１１】
エレベータセキュリティシステム１は、エレベータの基準階のホール（以下、単に「ホール」という場合もある。）に設置された表示装置４（かご位置表示装置）の表示内容とかごの運転速度を制御することを主な特徴とする。エレベータセキュリティシステム１は、かご２と、制御盤３と、表示装置４と、利用者情報受信部５と、を備えている。
【００１２】
かご２は、利用者を乗せ、昇降路内を昇降する。また、かご２には、行き先階登録部２１と、行き先階取得部２２と、かご内情報取得部２３と、が設けられている。行き先階登録部２１は、かご２内の利用者が行き先階を登録するための手段で、例えば、押しボタンである。行き先階取得部２２は、行き先階登録部２１を用いて利用者が選択した行き先階の情報を取得し、制御盤３の判定部３７に送信する。かご内情報取得部２３は、かご２内の利用者の情報を取得して制御盤３のかご内情報受信部３８に送信する手段で、例えば、カメラと送信機である。
【００１３】
表示装置４は、画像や映像を表示するための装置であり、基準階のホールに設置される。表示装置４は、例えば、ＬＣＤ（Liquid  Crystal  Display）やドットマトリクスであるが、これらに限定されない。
【００１４】
制御盤３は、表示制御部３１と、表示切替命令部３２と、かご制御部３３と、速度切替命令部３４と、特定利用者識別部３５と、特定利用者ＤＢ（Data  Base）３６と、判定部３７と、かご内情報受信部３８と、を備える。
【００１５】
表示制御部３１は、表示装置４に対して表示の制御を行う。また、表示制御部３１は、表示装置４にかご２の位置（階）を表示させるかご位置表示モードと、表示装置４にかご２の位置を表示させないかご位置非表示モードと、を有する。
【００１６】
つまり、かご位置表示モードとは、表示制御部３１が表示装置４にかご２の位置を表示させるモードである。また、かご位置非表示モードとは、表示制御部３１が表示装置４にかご２の位置を表示させないモードである。なお、表示制御部３１は、かご位置非表示モードでは、表示装置４にかご２の位置を表示させないが、何も表示しない非表示とすることに限定されず、例えば、表示をモザイク処理したり、かご２の移動方向を示す矢印だけを表示したりする等、かご２の位置がわからないような情報を表示することとしてもよい。
【００１７】
表示切替命令部３２は、表示制御部３１に対して、かご位置表示モードとかご位置非表示モードを切り替える命令を出力する。例えば、利用者の乗ったかご２が基準階を発車し、行き先階まで移動し、基準階に戻るまでの間ずっと、かご位置非表示モードとなるように、表示切替命令部３２は表示制御部３１に対して命令を出力する。
【００１８】
かご制御部３３は、通常の運転速度でかご２を移動させる第１の運転速度モードと、第１の運転速度モードと異なる運転速度でかご２を移動させる第２の運転速度モードと、を有し、かご２を基準階に自動的に帰着させる帰着運転を含むかご２の運転の制御を行う。
【００１９】
つまり、第１の運転速度モードとは、かご制御部３３が通常の運転速度でかご２を移動させるモードである。また、第２の運転速度モードとは、特定利用者が降車した階を第三者に特定させないために、かご制御部３３が通常の運転速度と異なる運転速度（例えば通常の運転速度よりも２０％遅い運転速度）でかご２を移動させるモードである。
【００２０】
速度切替命令部３４は、かご制御部３３に対して、第１の運転速度モードと第２の運転速度モードを切り替える命令を出力する。例えば、利用者の乗ったかご２が基準階から行き先階まで移動する間は第１の運転速度モードで移動し、行き先階から基準階に戻る帰着運転の間は第２の運転速度モードで移動するように、速度切替命令部３４はかご制御部３３に対して命令を出力する。
【００２１】
ここで、図２を参照して、特定利用者ＤＢ３６のデータ構成について説明する。図２は、第１の実施形態における特定利用者ＤＢ３６のデータ構成図である。特定利用者ＤＢ３６では、特定利用者のＩＤ（Identifier）である利用者ＩＤと、利用者の氏名とが対応付けられている。なお、特定利用者とは、エレベータが設置されているマンションの住人等、そのエレベータの利用が認められている者を指す。
【００２２】
図１に戻って、特定利用者識別部３５は、かご２を利用しようとしている利用者が予め登録された特定利用者であるか否かを識別する。例えば、ＩＣ（Integrated  Circuit）タグを用いる場合を例にとって説明する。利用者は、ＩＤが格納されたＩＣタグを携行する。この場合、利用者情報取得部６は、ＩＣタグリーダである。利用者がＩＣタグを利用者情報取得部６にかざすと、利用者情報取得部６がＩＣタグからＩＤを読み取り、そのＩＤを利用者情報受信部５に送信する。特定利用者識別部３５は、利用者情報受信部５からＩＤを受けとり、特定利用者ＤＢ３６を参照して、そのＩＤが利用者ＩＤとして登録されているか否かを判定することで、登録されていればその利用者は特定利用者であると識別できる。なお、ＩＣタグでなく、ＩＣチップを用いてもよい。
【００２３】
また、カメラ画像を用いてもよい。その場合、利用者情報取得部６は、カメラであり、例えば利用者の顔を撮影してその顔画像を利用者情報受信部５に送信する。特定利用者ＤＢ３６には、予め利用者ごとの顔の特徴量情報を格納しておく。そして、特定利用者識別部３５は、利用者情報受信部５から顔画像を受けとり、特定利用者ＤＢ３６を参照して、その顔画像から抽出した特徴量が特定利用者ＤＢ３６に登録されている顔の特徴量情報と一致するか否かを判定することで、登録されていればその利用者は特定利用者であると識別できる。
【００２４】
かご内情報受信部３８は、かご内情報取得部２３から、かご２内の利用者の情報（例えばかご２内の撮影画像）を受信する。
【００２５】
判定部３７は、特定利用者識別部３５によって利用者が特定利用者であると識別された場合に、まず、その特定利用者がかご２に乗車している（第１の条件）か否かを判定する。判定部３７は、その特定利用者がかご２に乗車しているか否かの判定は、例えば、カメラとして実現されるかご内情報取得部２３からの撮影画像に基づいて行えばよい。なお、特定利用者がかご２に乗車しているか否かの判定の手法はこれに限定されず、例えば、判定部３７は、かご２の出入り口付近を撮影するカメラの画像や、行き先階登録部２１の付近に設けられた指紋認証部に対して特定利用者が読み取らせた指紋情報などに基づいてその判定を行ってもよい。
【００２６】
判定部３７は、特定利用者がかご２に乗車していると判定した場合に、表示切替命令部３２に対してかご位置表示モードからかご位置非表示モードに切り替える命令を出力するように指示するとともに、遅くとも帰着運転の終了時までに（例えば、帰着運転の開始時に）、速度切替命令部３４に対して第１の運転速度モードから第２の運転速度モードに切り替える命令を出力するように指示する。
【００２７】
次に、第１の実施形態における制御盤３のハードウェア構成について、図３を参照して説明する。図３は、第１の実施形態における制御盤３のハードウェア構成図である。図３に示すように、制御盤３は、ＣＰＵ（Central  Processing  Unit）８１と、入力部８２と、通信部８３と、記憶部８４と、を備え、これらはバス８５により相互に接続されている。ＣＰＵ８１は、演算部であり、バス８５を介して接続された入力部８２、通信部８３、記憶部８４などから入力されたデータやプログラムに基づいて演算処理を行い、演算結果ないしその演算結果を反映した制御信号を、バス８５を介して接続された通信部８３、記憶部８４などに出力する。
【００２８】
具体的には、ＣＰＵ８１は、ＯＳ（Operating  System）やエレベータのセキュリティプログラムを実行し、各種制御等を行う。セキュリティプログラムとは、上述した制御盤３の各機能を実現するためのプログラムである。入力部８２は、情報を入力するための手段であり、例えば、キーボードやマウス、タッチパネルなどであるが、これらに限定されない。
【００２９】
通信部８３は、外部装置と有線接続または無線接続で通信するための手段であり、例えば、モデムやルータ、ハブであるが、これらに限定されない。記憶部８４は、ＯＳ、プログラム、セキュリティプログラムの実行に必要なデータ、およびセキュリティプログラムを実行することで生成されたデータなどを記憶する記憶媒体である。
【００３０】
記憶部８４は、例えば、主記憶装置と外部記憶装置から構成される。主記憶装置は、例えば、ＲＡＭ（Random  Access  Memory）、ＤＲＡＭ（Dynamic  ＲＡＭ）、ＳＲＡＭ（Static  ＲＡＭ）であるが、これらに限定されない。また、外部記憶装置は、例えば、ハードディスク、光ディスク、フラッシュメモリであるが、これらに限定されない。特定利用者ＤＢ３６は、記憶部８４を用いて構成することができる。
【００３１】
エレベータのセキュリティプログラムは、記憶部８４に予め記憶されていてもよいし、ＵＳＢ（Universal  Serial  Bus）メモリなどの外部記憶装置に記憶されていたものや、Ｗｅｂ上にアップロードされていたものを記憶部８４にインストールするようにしてもよい。
【００３２】
なお、制御盤３における各部の一部を、例えば、建物の管理センタにあるコンピュータ装置によって実現してもよい。その場合、制御盤３とそのコンピュータ装置との間で、必要に応じた通信を行えばよい。
【００３３】
次に、第１の実施形態に係るエレベータセキュリティシステム１が行う処理について、図４を参照して説明する。図４は、第１の実施形態に係るエレベータセキュリティシステム１が行う処理を示すフローチャートである。
【００３４】
ステップＳ１において、利用者情報取得部６は、利用者情報（例えば利用者が携行するＩＣタグに記憶されているＩＤ）を取得する。次に、ステップＳ２において、特定利用者識別部３５は、取得した利用者情報と特定利用者ＤＢ３６に基づき、利用者が特定利用者であるか否かを判定し、Ｙｅｓの場合はステップＳ３に進み、Ｎｏの場合は処理を終了する。
【００３５】
ステップＳ３において、判定部３７は、特定利用者と判定された利用者がかご２に乗車しているか否かを判定し、Ｙｅｓの場合はステップＳ４に進み、Ｎｏの場合は処理を終了する。
【００３６】
ステップＳ４において、判定部３７は、行き先階登録部２１を用いて特定利用者が選択した行き先階の情報を行き先階取得部２２から受信する。次に、ステップＳ５において、かご制御部３３は、かご２の発車制御を行う（かご２を発車させる）。
【００３７】
次に、ステップＳ６において、表示切替命令部３２は、表示制御部３１に対して、かご位置表示モードからかご位置非表示モードに切り替える命令を出力する。これを受けて、表示制御部３１は、かご位置非表示モードとなるので、表示装置４にかごの位置を表示させなくなる。
【００３８】
次に、ステップＳ７において、かご制御部３３は、全行き先階に応答する、つまり、すべての行き先階へのかご２の移動を完了する。
【００３９】
次に、ステップＳ８において、速度切替命令部３４は、かご制御部３３に対して、第１の運転速度モードから第２の運転速度モードに切り替える命令を出力する。これを受けて、かご制御部３３は、第２の運転速度モードとなるので、例えば、通常の運転速度よりも２０％遅い運転速度でかご２を移動させるようになる。
【００４０】
次に、ステップＳ９において、かご制御部３３は、かご２を基準階に自動的に帰着させる帰着運転を開始する。次に、ステップＳ１０において、かご制御部３３は、かご２が基準階へ帰着したか否かを判定し、Ｙｅｓの場合はステップＳ１１に進み、Ｎｏの場合はステップＳ１０に戻る。
【００４１】
次に、ステップＳ１１において、表示切替命令部３２は、表示制御部３１に対して、かご位置非表示モードからかご位置表示モードに切り替える（戻す）命令を出力する。これを受けて、表示制御部３１は、かご位置表示モードとなるので、表示装置４にかごの位置を表示させるようになる。
【００４２】
次に、ステップＳ１２において、速度切替命令部３４は、かご制御部３３に対して、第２の運転速度モードから第１の運転速度モードに切り替える（戻す）命令を出力する。これを受けて、かご制御部３３は、第１の運転速度モードとなるので、通常の運転速度でかご２を移動させるようになる。ステップＳ１２の後、処理を終了する。
【００４３】
このように、第１の実施形態のエレベータセキュリティシステム１によれば、特定利用者がかご２に乗車した場合、かご２が基準階を発車してから基準階に帰着するまで表示装置４でのかご２の位置を非表示とするとともに、かご２の帰着運転時の運転速度を通常よりも遅くすることで、表示装置４での表示内容やかご２の運転時間から特定利用者の居住階を容易に推測できないようにすることができる。
【００４４】
＜第２の実施形態＞
次に、第２の実施形態について説明する。第２の実施形態では、予め定められた特定エリアに、特定利用者ではない第三者の存在を検知した場合のみ、表示モードと運転速度モードの切り替えを行う。以下では、特定エリアを基準階のホールとした場合を例にとって説明する。
【００４５】
第２の実施形態に係るエレベータセキュリティシステム１の構成について、図５を参照して説明する。図５は、第２の実施形態に係るエレベータセキュリティシステム１等の構成図である。図５に示すように、第２の実施形態に係るエレベータセキュリティシステム１は、図１と比較して、第三者識別部３０１をさらに備える。また、エレベータセキュリティシステム１の外部に人物検知部７をさらに備える。また、判定部３７の判定条件や、特定利用者ＤＢ３６のデータ構成が異なる。その他の機能構成やハードウェア構成は、第１の実施形態と同様である。以下、第１の実施形態との相違点について説明する。
【００４６】
人物検知部７は、例えば、基準階のホールに設置されたカメラであり、ホールを撮影して、撮影画像を第三者識別部３０１に送信する。つまり、ホールに第三者がいる場合、人物検知部７は、第三者を含む撮影画像を第三者識別部３０１に送信する。
【００４７】
ここで、図６を参照して、第２の実施形態における特定利用者ＤＢ３６のデータ構成について説明する。図６は、第２の実施形態における特定利用者ＤＢ３６のデータ構成図である。特定利用者ＤＢ３６では、特定利用者のＩＤである利用者ＩＤと、利用者の氏名と、利用者の顔の特徴量の情報である顔特徴量情報と、が対応付けられている。
【００４８】
図５に戻って、第三者識別部３０１は、ホールに第三者がいるか否かを識別する。具体的には、第三者識別部３０１は、人物検知部７から受け取ったホールの撮影画像から人物の顔の画像を抽出し、特定利用者ＤＢ３６を参照して、その顔の画像から抽出した特徴量が特定利用者ＤＢ３６に登録されている顔特徴量情報と一致するか否かを判定することで、登録されていなければその人物は第三者であると識別できる。
【００４９】
判定部３７は、特定利用者がかご２に乗車している（第１の条件）と判定し、かつ、第三者識別部３０１によって第三者がホールにいると識別された（第２の条件）場合に、表示切替命令部３２に対してかご位置表示モードからかご位置非表示モードに切り替える命令を出力するように指示するとともに、遅くとも帰着運転の終了時までに（例えば、帰着運転の開始時に）、速度切替命令部３４に対して第１の運転速度モードから第２の運転速度モードに切り替える命令を出力するように指示する。
【００５０】
次に、第２の実施形態に係るエレベータセキュリティシステム１が行う処理について、図７を参照して説明する。図７は、第２の実施形態に係るエレベータセキュリティシステム１が行う処理を示すフローチャートである。なお、図４のフローチャートと比較して、ステップＳ３とステップＳ４の間にステップＳ１０１が挿入されている点でのみ相違するので、相違点以外の説明を省略する。
【００５１】
ステップＳ３でＹｅｓの後、ステップＳ１０１において、判定部３７は、第三者識別部３０１によって第三者がホールにいると識別されたか否かを判定し、Ｙｅｓの場合はステップＳ４に進み、Ｎｏの場合は処理を終了する。
【００５２】
このように、第２の実施形態のエレベータセキュリティシステム１によれば、特定利用者がかご２に乗車した場合であっても、ホール等の特定エリアに第三者がいない場合には、表示モードと運転速度モードの変更を行わない。したがって、特定エリアに他の特定利用者がいるときに、そのような他の特定利用者に、表示モードや運転速度モードの変更にともなう不便さを与えずに済む。
【００５３】
また、特定利用者がかご２に乗車した場合であって、かつ、ホール等の特定エリアに第三者がいる場合には、表示モードと運転速度モードの変更を行うことで、表示装置４での表示内容やかご２の運転時間から特定利用者の居住階を容易に推測できないようにすることができ、安全性を高めることができる。
【００５４】
なお、特定エリアは、基準階のホールに限定されず、例えば、マンションのエントランス等であってもよい。
【００５５】
＜第３の実施形態＞
次に、第３の実施形態について説明する。第３の実施形態では、特定利用者が乗車したかご２において登録（選択）されている行き先階の数が、第１の所定数（例えば「４」）未満の場合のみ、表示モードと運転速度モードの変更を行う。
【００５６】
第３の実施形態に係るエレベータセキュリティシステム１の構成について、図８を参照して説明する。図８は、第３の実施形態に係るエレベータセキュリティシステム１等の構成図である。図８に示すように、第３の実施形態に係るエレベータセキュリティシステム１は、図５と比較して、行き先階数算出部３０２をさらに備える。また、判定部３７の判定条件が異なる。その他の機能構成やハードウェア構成は、第２の実施形態と同様である。以下、第２の実施形態との相違点について説明する。
【００５７】
行き先階数算出部３０２は、かご２内で登録された行き先階の情報を行き先階取得部２２から受信し、その情報に基づいて、行き先階の数を算出する。行き先階数算出部３０２は、例えば、登録された行き先階が、２Ｆ／３Ｆ／８Ｆの場合、行き先階の数を「３」と算出する。
【００５８】
また、判定部３７は、さらに、行き先階数算出部３０２によって算出された行き先階の数が第１の所定数未満である（第３の条件）と判定した場合に、表示切替命令部３２に対してかご位置表示モードからかご位置非表示モードに切り替える命令を出力するように指示するとともに、遅くとも帰着運転の終了時までに（例えば、帰着運転の開始時に）、速度切替命令部３４に対して第１の運転速度モードから第２の運転速度モードに切り替える命令を出力するように指示する。
【００５９】
次に、第３の実施形態に係るエレベータセキュリティシステム１が行う処理について、図９を参照して説明する。図９は、第３の実施形態に係るエレベータセキュリティシステム１が行う処理を示すフローチャートである。なお、図７のフローチャートと比較して、ステップＳ５とステップＳ６の間にステップＳ１０２が挿入されている点でのみ相違するので、相違点以外の説明を省略する。
【００６０】
ステップＳ５の後、ステップＳ１０２において、判定部３７は、行き先階数算出部３０２によって算出された行き先階の数が第１の所定数未満であるか否かを判定し、Ｙｅｓの場合はステップＳ６に進み、Ｎｏの場合は処理を終了する。
【００６１】
このように、第３の実施形態のエレベータセキュリティシステム１によれば、特定利用者がかご２に乗車した（第１の条件）場合であって、かつ、ホール等の特定エリアに第三者がいる（第２の条件）場合であっても、登録されている行き先階の数が第１の所定数未満でない（第３の条件を満たさない）場合（例えば「４」以上の場合）には、表示モードと運転速度モードの変更を行わない。したがって、特定エリアに他の特定利用者がいるときに、そのような他の特定利用者に、表示モードや運転速度モードの変更にともなう不便さを与えずに済む。
【００６２】
つまり、登録されている行き先階の数が多い場合には、かご２が多くの階床に着床するので、表示モードと運転速度モードの変更を行わなくても、第三者は、表示装置４での表示内容やかご２の運転時間から特定利用者の居住階を容易に推測することはできない。
【００６３】
また、特定利用者がかご２に乗車した（第１の条件）場合であって、かつ、ホール等の特定エリアに第三者がいる（第２の条件）場合であって、さらに、登録されている行き先階の数が第１の所定数未満である（第３の条件）場合（例えば「４」未満の場合）には、表示モードと運転速度モードの変更を行う。したがって、表示装置４での表示内容やかご２の運転時間から特定利用者の居住階を容易に推測できないようにすることができ、安全性を高めることができる。
【００６４】
なお、第３の実施形態では、第１の条件と第２の条件に対してさらに第３の条件を加えるものとしたが、これに限定されず、第１の条件に対して第３の条件を加えるようにしてもよい。
【００６５】
＜第４の実施形態＞
次に、第４の実施形態について説明する。第４の実施形態では、特定利用者が乗車したかご２に同乗している他の利用者の数が、第２の所定数（例えば「５」）未満の場合のみ、表示モードと運転速度モードの変更を行う。
【００６６】
第４の実施形態に係るエレベータセキュリティシステム１の構成について、図１０を参照して説明する。図１０は、第４の実施形態に係るエレベータセキュリティシステム１等の構成図である。図１０に示すように、第４の実施形態に係るエレベータセキュリティシステム１は、図８と比較して、同乗者数算出部３０３をさらに備える。また、判定部３７の判定条件が異なる。その他の機能構成やハードウェア構成は、第３の実施形態と同様である。以下、第３の実施形態との相違点について説明する。
【００６７】
同乗者数算出部３０３は、かご内情報受信部３８からかご２内の利用者の情報を受けとって、かご２内にいる特定利用者と同乗している同乗者の数を算出する。
【００６８】
また、判定部３７は、さらに、同乗者数算出部３０３によって算出された同乗者の数が第２の所定数未満である（第４の条件）と判定した場合に、表示切替命令部３２に対してかご位置表示モードからかご位置非表示モードに切り替える命令を出力するように指示するとともに、遅くとも帰着運転の終了時までに（例えば、帰着運転の開始時に）、速度切替命令部３４に対して第１の運転速度モードから第２の運転速度モードに切り替える命令を出力するように指示する。
【００６９】
次に、第４の実施形態に係るエレベータセキュリティシステム１が行う処理について、図１１を参照して説明する。図１１は、第４の実施形態に係るエレベータセキュリティシステム１が行う処理を示すフローチャートである。なお、図９のフローチャートと比較して、ステップＳ１０２とステップＳ６の間にステップＳ１０３が挿入されている点でのみ相違するので、相違点以外の説明を省略する。
【００７０】
ステップＳ１０２でＹｅｓの後、ステップＳ１０３において、判定部３７は、同乗者数算出部３０３によって算出された同乗者の数が第２の所定数未満であるか否かを判定し、Ｙｅｓの場合はステップＳ６に進み、Ｎｏの場合は処理を終了する。
【００７１】
このように、第４の実施形態のエレベータセキュリティシステム１によれば、特定利用者がかご２に乗車した（第１の条件）場合であって、かつ、第２の条件と第３の条件を満たした場合であっても、同乗者の数が第２の所定数未満でない（第４の条件を満たさない）場合には、表示モードと運転速度モードの変更を行わない。したがって、特定エリアに他の特定利用者がいるときに、そのような他の特定利用者に、表示モードや運転速度モードの変更にともなう不便さを与えずに済む。
【００７２】
つまり、同乗者の数が多い場合には、かご２から利用者の全員が降りるのに時間がかかるので、表示モードと運転速度モードの変更を行わなくても、第三者が表示装置４での表示内容やかご２の運転時間から特定利用者の居住階を推測できる可能性は低い。
【００７３】
また、特定利用者がかご２に乗車した（第１の条件）場合であって、かつ、第２の条件と第３の条件を満たした場合であって、さらに、同乗者の数が第２の所定数未満である（第４の条件）場合には、表示モードと運転速度モードの変更を行う。したがって、表示装置４での表示内容やかご２の運転時間から特定利用者の居住階を容易に推測できないようにすることができ、安全性を高めることができる。
【００７４】
なお、第４の実施形態では、第１の条件と第２の条件と第３の条件に対してさらに第４の条件を加えるものとしたが、これに限定されず、第１の条件だけや、第１の条件と第２の条件や、第１の条件と第３の条件に対して、第４の条件を加えるようにしてもよい。
【００７５】
また、ステップＳ１０３でＮｏの場合、例えば、基準階でかご２に乗った５人全員が同じ階で降りる、ということも考えられ、表示装置４にかご２の位置（階）が表示されるとその降りた階を特定できる可能性があるので、運転速度モードの変更は行わず、表示モードだけ変更してかご２の位置を非表示としてもよい。
【００７６】
＜変形例＞
上述した各実施形態では、第２の運転速度モードでのかご２の運転速度を通常よりも２０％遅い運転速度としたが、これに限定されない。例えば、かご２の行き先階から基準階までの帰着運転時の運転速度を、通常よりも１０％遅い運転速度、通常よりも２０％遅い運転速度、通常よりも３０％遅い運転速度の中からランダムで選択するようにしてもよい。
【００７７】
その場合、第２の運転速度モードは、速度切替命令部３４によって第１の運転速度モードから第２の運転速度モードに切り替える命令が出力されるたびに、かごの運転速度を異ならせるモードとなる。運転速度をランダムに異ならせることで、運転速度を低減させたことを考慮しても、第三者がかご２の運転時間から特定利用者の居住階を推測できる可能性をより低減できる。
【００７８】
また、帰着運転時のかご２の移動距離が短いほど、運転速度の低減の割合を大きくしてもよい。そうすれば、例えば、基準階が１階で、帰着運転開始時の階が低い場合でも、かご２の運転時間から特定利用者の居住階を推測できる可能性をより低減できる。
【００７９】
また、かご２の運転速度の低減を行う時間帯は、行き先階から基準階までの帰着運転時に限定されず、基準階から行き先階までの運転時でもよい。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８１】
例えば、第２の運転速度モードでの低速のかご２の帰着運転時に基準階等でかご２を呼ぶ操作が有った場合、即座に第１の運転速度モードに戻してもよい。また、第２の運転速度モードでのかご２の帰着運転時に、速度を低減するのではなく、途中階のいくつかでかご２を停止させることで、速度を低減する場合と同様の効果（かご２の運転時間から特定利用者の居住階を容易に推測させないこと）を奏するようにしてもよい。
【符号の説明】
【００８２】
１…エレベータセキュリティシステム、２…かご、２１…行き先階登録部、２２…行き先階取得部、２３…かご内情報取得部、３…制御盤、３１…表示制御部、３２…表示切替命令部、３３…かご制御部、３４…速度切替命令部、３５…特定利用者識別部、３６…特定利用者ＤＢ、３７…判定部、３８…かご内情報受信部、３０１…第三者識別部、３０２…行き先階数算出部、３０３…同乗者数算出部、４…表示装置、５…利用者情報受信部、６…利用者情報取得部、７…人物検知部、８１…ＣＰＵ、８２…入力部、８３…通信部、８４…記憶部、８５…バス
【図１】
2018090411.tif 000003
【図２】
2018090411.tif 000004
【図３】
2018090411.tif 000005
【図４】
2018090411.tif 000006
【図５】
2018090411.tif 000007
【図６】
2018090411.tif 000008
【図７】
2018090411.tif 000009
【図８】
2018090411.tif 000010
【図９】
2018090411.tif 000011
【図１０】
2018090411.tif 000012
【図１１】
2018090411.tif 000013